(57)【特許請求の範囲】
【請求項１】
エアロゾル発生物品であって：
ニコチン粉末の用量を含むニコチン粉末容器と、
前記ニコチン粉末容器の周りに包まれた波型の内側ラッパーと、
前記波型の内側ラッパーの周りに包まれた外側ラッパーと、
前記ニコチン粉末容器の上流にある少なくとも一つの気流入口と、
前記ニコチン粉末容器の下流にある少なくとも一つの気流出口とを含み、
前記波型の内側ラッパー内にある前記波型形状が、前記少なくとも一つの気流入口および前記少なくとも一つの気流出口と流体連通する、複数の気流チャネルを画定する、エアロゾル発生物品。
【請求項２】
前記波型の内側ラッパーが波型の紙を含む、請求項１に記載のエアロゾル発生物品。
【請求項３】
前記波型の紙が少なくとも７０グラム／平方メートルの坪量を持つ、請求項２に記載のエアロゾル発生物品。
【請求項４】
前記波型の紙が少なくとも１００マイクロメートルの厚みを持つ、請求項２または３に記載のエアロゾル発生物品。
【請求項５】
前記ニコチン粉末容器が破壊可能なカプセルである、請求項１〜４のいずれか１項に記載のエアロゾル発生物品。
【請求項６】
前記破壊可能なカプセルは、ゼラチン、ヒドロキシプロピルメチルセルロース、ポリエチレン、ポリプロピレン、ポリウレタン、フッ化エチレンプロピレン、およびその組み合わせのうち少なくとも一つを含む、請求項５に記載のエアロゾル発生物品。
【請求項７】
前記破壊可能なカプセルが、ＡＳＴＭ  Ｄ６１７５に従い測定した時に５ニュートン未満の破砕力で破壊できる、請求項５または６に記載のエアロゾル発生物品。
【請求項８】
前記ニコチン粉末がニコチン塩を含む、請求項１〜７のいずれか１項に記載のエアロゾル発生物品。
【請求項９】
前記ニコチン粉末が酒石酸ニコチン、アスパラギン酸ニコチン、乳酸ニコチン、グルタミン酸ニコチン、重酒石酸ニコチン、サリチル酸ニコチン、フマル酸ニコチン、モノ−ピルビン酸ニコチン、ニコチン塩酸塩、およびその組み合わせのうち少なくとも一つを含む、請求項１〜８のいずれか１項に記載のエアロゾル発生物品。
【請求項１０】
風味送達要素をさらに含む、請求項１〜９のいずれか１項に記載のエアロゾル発生物品。
【請求項１１】
前記風味送達要素が前記ニコチン粉末容器の上流である、請求項１０に記載のエアロゾル発生物品。
【請求項１２】
前記風味送達要素が破壊可能なカプセルである、請求項１０または１１に記載のエアロゾル発生物品。
【請求項１３】
前記風味送達要素が液体風味剤または粉末風味剤を含む、請求項１０または１１に記載のエアロゾル発生物品。
【請求項１４】
前記風味送達要素がメントールを浸み込ませた糸である、請求項１０または１１に記載のエアロゾル発生物品。
【請求項１５】
ニコチン粉末送達システムであって、
請求項１〜１４のいずれか１項に記載のエアロゾル発生物品、および
ニコチン粉末吸入装置であって、
前記エアロゾル発生物品を受けるように適合された外側ハウジングと、
前記ニコチン粉末容器を貫通するための少なくとも一つの貫通部材とを含む装置を備えた、システム。
【発明の詳細な説明】
【技術分野】
【０００１】
本発明は、ニコチン粉末を含む物品に関連する。本発明は、前記物品および物品を受けてそれと協働し、ニコチンをユーザーに送達するように構成された装置を含む、ニコチン粉末送達システムにさらに関連する。
【背景技術】
【０００２】
乾燥粉末吸入器は当技術で周知であり、例えば、エアロゾルの形態の医薬品を含む乾燥粉末を患者の気道に送達することにより、呼吸器疾患を治療するために使用されうる。
【０００３】
ニコチン粉末をユーザーに送達するのに適した物品を提供することが、本発明の目的である。有利なことに、こうした物品は、ニコチン粉末をユーザーに有効に送達するための十分に高い気流レートを提供する。
【０００４】
物品と係合して相互作用して、ニコチン粉末をユーザーに提供するのに適した再使用可能な装置を含むニコチン粉末送達システムを提供することが本発明の別の目的である。
【発明の概要】
【０００５】
一態様において、本発明は、ニコチン粉末の用量を含むニコチン粉末容器と、ニコチン粉末容器の周りを包む波型の内側ラッパーと、波型の内側ラッパーの周りを包む外側ラッパーとを含む、エアロゾル発生物品を提供する。物品は、ニコチン粉末容器の上流にある少なくとも一つの気流入口と、ニコチン粉末容器の下流にある少なくとも一つの気流出口とを含み、波型の内側ラッパー内の波型形状が、少なくとも一つの気流入口および少なくとも一つの気流出口と流体連通する複数の気流チャネルを画定する。
【０００６】
本明細書で使用される場合、「波型」という用語は、一連の交互の谷および陵を持つラッパーを描写するために使用される。谷および陵は直線などの任意の経路に従ってもよく、任意の角度で内側ラッパー全体に延びることができる。少なくとも２つの波型形状の線が、山形を形成してもよい。波型形状は、内側ラッパーの全体または部分上に延びてもよい。波型形状の断面プロフィールは、正弦波またはのこ歯プロフィールなどの望ましい任意の形状に従いうる。
【０００７】
「気流入口」という用語は本明細書で使用される時、それを通して空気が本発明のエアロゾル発生物品内に引き出されうる１つ以上の開口部を描写するために使用される。同様に「気流出口」という用語は本明細書で使用される時、それを通して空気が本発明のエアロゾル発生物品内に引き出されうる１つ以上の開口部を描写するために使用される。
【０００８】
本明細書で使用される時、「上流」および「下流」という用語は、ユーザーがエアロゾル発生物品を吸い込む時のエアロゾル発生物品を通る気流の方向に関して本発明によるエアロゾル発生物品の構成要素または構成要素の部分の相対的な位置を記述するために使用される。特に、ユーザーが物品を吸いこむ時、空気は少なくとも一つの気流入口から少なくとも一つの気流出口へと下流方向に流れる。
【０００９】
ニコチン粉末容器と外側ラッパーの間に波型の内側ラッパーを提供することで、有利なことに容器外側の周りに複数の気流チャネルが形成される。有利なことに、少なくとも一つの気流入口と少なくとも一つの気流出口と流体連通する複数の気流チャネルが、物品を通した気流を最適化する。波型の内側ラッパーのない物品と比較して、ユーザーが物品を通して空気を吸い込む時、ラッパーは引き出し抵抗を低減する。これにより、気流レートを増大させ、ユーザーへのニコチン粉末の有効な送達を促進できる。
【００１０】
波型の内側ラッパーを使用した気流チャネルを提供することでも、既存の組み合わせの技術および機械類を使用した製造が許容されることで、本発明によるエアロゾル発生物品の単純で費用対効果の高い製造が促進される。特に、物品は、波型の内側ラッパーをニコチン粉末容器の周りに包んだ後、外側ラッパーを内側ラッパーの周りに包むことにより組み立てられうる。この構成方法は、例えば、容器を予め形成したチューブへの挿入が関与する方法などの代替的な方法よりも導入が迅速かつ容易である。
【００１１】
本明細書で定義されている通り、ニコチン粉末容器はニコチン粉末を格納する容器である。容器はニコチン粉末で充填されることが好ましい。ニコチン粉末は、例えば粉末形態の適切な成分など、適切な追加的成分と混合しうる。
【００１２】
波型の内側ラッパーは、波型の紙から形成されることが好ましいが、これは費用対効果が高く、またラッパーを形成する時に紙材料を取り扱うよう既に適合されている、既存の製造工程にすぐに導入できる。
【００１３】
波型形状に十分な剛性を提供するために、また本発明の物品の製造およびその後の取扱い中の複数の気流経路の崩壊を防止するために、波型の紙は、少なくとも約７０グラム／平方メートルの坪量を持ちうるが、随意に少なくとも約１００グラム／平方メートル、随意に少なくとも約１１５グラム／平方メートルである。紙の坪量は、紙が平坦な時、すなわち波型形状なしで、測定される。
【００１４】
追加的に、または別の方法として、波型の紙は、少なくとも約１００マイクロメートル、随意に少なくとも約１２０マイクロメートル、随意に少なくとも約１４０マイクロメートルの厚みを持ちうる。
【００１５】
波型の紙をニコチン粉末容器の周りに包んで波型の内側ラッパーを形成する時の波型の紙の折り曲げを促進するために、波型の紙は、約１５０グラム／平方メートル未満、随意に約１１５グラム／平方メートル未満、随意に約１００グラム／平方メートル未満の坪量を持ちうる。
【００１６】
追加的に、または別の方法として、波型の紙は、約２００マイクロメートル未満、随意に約１４０マイクロメートル未満、随意に約１２０マイクロメートル未満の厚みを持ちうる。
【００１７】
追加的に、または別の方法として、波型の内側ラッパーは、約１５パーセントおよび約２０パーセントの伸展を示す、高い伸展性の紙から形成されうる。
【００１８】
一部の実施形態で、ニコチン粉末容器はカプセルを備えうるが、物品の使用前に、ユーザーによって簡単に破裂されうる壊れやすいカプセルが好ましい。例えば、カプセルは、ユーザーによってカプセルの周りで物品を圧迫することにより破裂させうる。別の方法として、カプセルは、下記にさらに詳細に説明する通り、物品を破壊または貫通部材を持つ装置に挿入することにより破裂されうる。ニコチン粉末を壊れやすいカプセル内に提供することで、有利なことにニコチン粉末をシールして分離し、したがって本発明による物品の使用前の粉末の劣化や汚染が防止される。
【００１９】
こうしたカプセルを形成するための適切な材料には、例えば、ゼラチン、ヒドロキシプロピルメチルセルロース、ポリエチレン、ポリプロピレン、ポリウレタン、フッ化エチレンプロピレン、およびその組み合わせが含まれる。
【００２０】
ある特定の好ましい実施形態では、カプセルは、１つ以上の生物分解性高分子材料から形成されてもよい。これは有利にも、本発明によるエアロゾル発生物品の環境的な影響を減少させる場合がある。
【００２１】
カプセルは適切な任意のサイズまたは形状を持ちうる。例えば、カプセルは円筒形でもよい。
【００２２】
カプセルは、例えば、約４ｍｍ〜約１２ｍｍの長さを有しうる。ある特定の好ましい実施形態では、カプセルは約８ｍｍの長さを有する。
【００２３】
カプセルは、例えば、約４ｍｍ〜約１０ｍｍの直径または幅を有しうる。ある特定の好ましい実施形態では、カプセルは約７ｍｍの直径を有する。
【００２４】
カプセルは、例えば、約０．１ｍｍ〜約１．０ｍｍの厚さを有しうる。ある特定の好ましい実施形態では、カプセルは約０．２ｍｍ〜約０．４ｍｍの厚さを有する。
【００２５】
ニコチン粉末が封入されるカプセルは、１つ以上の耐ニコチン性の高分子材料から形成されうる。
【００２６】
別の方法としてまたは追加的に、ニコチン粉末が封入されるカプセルの内部は、１つ以上の耐ニコチン性の高分子材料で被覆されうる。
【００２７】
こうした実施形態では、ニコチン粉末が中に封入されているカプセルの内部上の耐ニコチン性の高分子被覆は、例えば、約５μｍ〜約１００μｍの厚さを有してもよい。ある特定の好ましい実施形態では、ニコチン粉末が中に封入されているカプセルの内部上の耐ニコチン性の高分子被覆は約４０μｍの厚さを有する。
【００２８】
好適な耐ニコチン性高分子材料の例としては、ポリエチレン、ポリプロピレン、ポリスチレン、フッ化エチレンプロピレン、ポリテトラフルオロエチレン、エポキシ樹脂、ポリウレタン樹脂、ビニル樹脂、およびこれらの組み合わせが挙げられるが、それらに限定されない。
【００２９】
ニコチン粉末が中に封入されているカプセルを形成するためまたはその内部を被覆するための１つ以上の耐ニコチン性の高分子材料の使用は、有利にも本発明によるエアロゾル発生物品の貯蔵寿命を延ばす。
【００３０】
カプセルが圧迫作用を使用して破壊されるように意図されている実施形態では、壊れやすいカプセルは、約５０ニュートン未満、随意に約１０ニュートン未満、随意に約５ニュートン未満の破砕力で壊れやすいことが好ましい。これらの範囲内の破砕力で破壊するカプセルを提供することで、ユーザーが手でカプセルを粉砕することが比較的簡単となるように確保される。
【００３１】
追加的に、または別の方法として、壊れやすいカプセルの破壊には、少なくとも約３ニュートン、随意に少なくとも約５ニュートン、随意に少なくとも約１０ニュートンの破砕力が必要とされる場合がある。これらの範囲の最小破壊力を必要とするカプセルを提供することで、使用前に物品の製造およびその後の取扱い時にカプセルが偶発的に破壊するリスクが低減される。
【００３２】
別途指定のない限り、壊れやすいカプセルを破壊するのに必要な破砕力は、ＡＳＴＭ  Ｄ６１７５に従い測定される。
【００３３】
有利なことに、ニコチン粉末は、ニコチン塩またはニコチン塩水和物としうる。適切なニコチン塩またはニコチン塩水和物には、例えば、酒石酸ニコチン、アスパラギン酸ニコチン、乳酸ニコチン、グルタミン酸ニコチン、重酒石酸ニコチン、サリチル酸ニコチン、フマル酸ニコチン、モノ−ピルビン酸ニコチン、ニコチン塩酸塩、およびその組み合わせが含まれる。
【００３４】
ニコチン粉末は、ユーザーの肺へのニコチンの送達のために、適切な任意の粒子サイズ分布を持ちうる。本発明の一定の実施形態において、少なくとも約９０重量パーセント（ｗｔ％）のニコチン粉末は、約１０マイクロメートル以下、好ましくは約７マイクロメートル以下の粒子サイズを持ちうる。ニコチン粉末は、約０．１〜約１０マイクロメートルの平均直径の範囲を持つことが好ましく、約１〜約７マイクロメートルがより好ましく、約２〜約６マイクロメートルが特に好ましい。
【００３５】
本発明によるエアロゾル発生物品で使用するためのニコチン粉末粒子は表面を変性させうるが、例えば、ニコチン塩粒子が被覆されうる。好ましい被覆材料はＬ−ロイシンである。これらの担体を含まないニコチン粉末は当技術で周知であり、Ｔｅｉｃｏｓ  Ｐｈａｒｍａ  Ｉｎｃ．（Ｅｓｐｏｏ、Ｆｉｎｌａｎｄ）から入手可能である。特に適切なニコチン粉末粒子には、Ｌ−ロイシン被覆された重酒石酸ニコチン、Ｌ−ロイシン被覆されたグルタミン酸ニコチンおよびＬ−ロイシン被覆されたアスパラギン酸塩が含まれる。
【００３６】
ニコチン粉末容器は、約５〜約２０ミリグラムのニコチン粉末を含むことが好ましい。特に好ましい実施形態において、ニコチン粉末容器は約１０ミリグラムのニコチン粉末を含む。ニコチン粉末容器は、吸煙約１０〜約３０回分をユーザーに送達するのに十分なニコチン粉末を含むことが好ましい。
【００３７】
本発明によるエアロゾル発生物品は、ユーザーが物品を通して空気を吸い込んだ時に、風味感覚をユーザーに提供するための風味送達要素をさらに備えうる。
【００３８】
風味送達要素は、物品の外径または幅に対する影響が最小限に抑えられるように、ニコチン粉末容器と直列に提供されることが好ましい。
【００３９】
本発明によるエアロゾル発生物品は、従来的な点火端のある紙巻たばこと類似または同一の寸法を持つ細長いスティック様の物品であることが好ましい。
【００４０】
本明細書で使用される場合、「直列」は、使用時に、物品を通過して吸い込まれる気流が、風味送達要素およびニコチン粉末容器のうち一方を通過するかまたはその周りを通ってから風味送達要素およびニコチン粉末容器のうち他方を通過するかまたはその周りを通るように、風味送達要素およびニコチン粉末容器は物品内に配置されることを意味する。
【００４１】
風味送達要素は、風味送達要素がニコチン粉末容器からユーザーへのニコチン粉末の送達を妨げないように、ニコチン粉末容器の上流に提供されることが好ましい。この場合、風味送達要素がニコチン粉末容器の上流にあるにもかかわらず十分な風味がユーザーに送達されるように、複数の気流経路は有利なことに、風味送達要素からの気流をニコチン粉末容器の外側の周りに配向する。
【００４２】
風味送達要素からの風味剤の漏れを防止するために、風味送達要素は、ユーザーがカプセルの周りで物品を圧迫することにより破裂されうる壊れやすいカプセルを含むことが好ましい。
【００４３】
風味送達要素を提供する壊れやすいカプセルを形成するために適した材料は、例えば、キサンタンガム、ゲランガム、カルボキシメチルセルロース、カーボポール、アラボキシメチルセルロース、およびその組み合わせなどの、ゲル形成剤および親水コロイドを含む。
【００４４】
壊れやすいカプセルは、約５０ニュートン未満、随意に約１０ニュートン未満、随意に約５ニュートン未満の破砕力で壊れやすいことが好ましい。これらの範囲内の破砕力で破壊するカプセルを提供することで、ユーザーが手でカプセルを粉砕することが比較的簡単となるように確保される。
【００４５】
追加的に、または別の方法として、壊れやすいカプセルの破壊には、少なくとも約３ニュートン、随意に少なくとも約５ニュートン、随意に少なくとも約１０ニュートンの破砕力が必要とされる場合がある。これらの範囲の最小破壊力を必要とするカプセルを提供することで、使用前に物品の製造およびその後の取扱い時にカプセルが偶発的に破壊するリスクが低減される。
【００４６】
別の方法としてまたは壊れやすいカプセルに加えて、風味送達要素は、風味剤を浸み込ませた糸などの担体要素としうる。これらの実施形態における風味剤はメントールが好ましい。糸はフィルター要素内に配置されうるが、ニコチン粉末容器の上流であることが好ましい。
【００４７】
風味送達要素を含むフィルター要素は、セルロースアセテートトウなど、当技術で周知の適切な材料で形成されうる。フィルター要素は、紙またはプラグラップで包装されたフィルター材料のプラグを含みうる。フィルター材料は風味送達要素の上流または下流としうるが、風味送達要素の上流および下流の両方に配置されることが好ましい。本発明の一部の実施形態で、風味送達要素はフィルター材料を貫いて延びうる。フィルター要素は低いかまたは非常に低い粒子ろ過効率を持ち、またニコチン粉末の送達に悪影響を及ぼさないように設計されることが好ましい。
【００４８】
風味送達要素を含む実施形態のどれかにおいて、風味送達要素は、液体または固体の形態（約２２℃の室温および１気圧で）としうる１つ以上の風味剤を含む。固体の風味剤は粉末の形態でもよい。
【００４９】
風味剤は、風味製剤、風味を含む材料および風味前駆体を含みうる。風味剤は、１つ以上の天然風味剤、１つ以上の合成風味剤、または天然および合成の風味剤の組み合わせを含みうる。
【００５０】
風味剤は、天然または合成に由来する各種の風味材料を意味する。これらには、単一の化合物および混合物が含まれる。風味剤は、ニコチン粉末吸入物品の体験を向上させて、例えば、燃焼式の喫煙物品の喫煙から生じるものと類似した体験を提供する風味属性を持つことが好ましい。例えば、風味剤は、口充足感および複雑さなどの風味属性を高めることができる。複雑さは、単一の感覚属性が支配的にならず風味のバランス全体がより豊かなものであることとして、一般的に知られている。口充足感は、消費者の口および喉の中での豊かさおよび量の認識として説明される。
【００５１】
適切な風味および芳香には、たばこ、煙、メントール、ミント（ハッカおよびオランダハッカなど）、ユーカリ、セージ、チョコレート、甘草、柑橘類およびその他の果物風味、γ八量体、バニリン、エチルバニリン、口臭消臭風味、スパイス風味（シナモンなど）、サルチル酸メチル、リナロール、ベルガモット油、ゼラニウム油、レモン油、およびジンジャー油、およびこれに類するものなどの任意の天然または合成の風味または芳香が含まれるが、これらに限定されない。
【００５２】
その他の適切な風味および芳香は、酸、アルコール、エステル、アルデヒド、ケトン、ピラジン、その組み合わせまたは混合物およびそれに類するものを含めた群から選択される風味化合物を含みうる。適切な風味化合物は、例えば、フェニル酢酸、ソラノン、メガスチグマトリエノン、２−ヘプタノン、ベンジルアルコール、ｃｉｓ−３−ヘキセニルアセタート、吉草酸、吉草酸アルデヒド、エステル、テルペン、セスキテルペン、ノートカトン、マルトール、ダマセノン、ピラジン、ラクトン、アネトール、ｉｓｏ−ｓ吉草酸、その組み合わせ、およびこれに類するものから構成される群から選択されうる。
【００５３】
一部の実施形態で、風味剤は力価の高い風味剤であり、一般に吸入気流内で結果的に２００  ｐｐｍ未満となるレベルで使用される。こうした風味剤の例は、β−ダマセノン、２−エチル−３，５−ジメチルピラジン、フェニルアセトアルデヒド、グアイアコール、およびフラネオールなどの主なたばこ芳香化合物である。その他の風味剤は、より高い濃度レベルでのみ人間によって感知されることができる。本明細書では力価の低い風味剤と言及されるこれらの風味剤は一般に、吸入空気内に放出される風味剤が結果的に何桁も多い量のレベルで使用される。適切な力価の低い風味剤は、天然または合成のメントール、ハッカ、スペアミント、コーヒー、お茶、スパイス（シナモン、クローブおよびショウガなど）、ココア、バニラ、果実風味、チョコレート、ユーカリ、ゼラニウム、オイゲノールおよびリナロオールを含むが、これらに限定されない。
【００５４】
本発明による物品は、約４０〜約６０ミリメートルの長さを持ちうる。特に好ましい実施形態では、本発明による物品は約５０ミリメートルの長さを持つ。
【００５５】
本発明による物品は、約７〜約１０ミリメートルの外径を持ちうる。特に好ましい実施形態では、物品は約８ミリメートルの外径を持つ。
【００５６】
一部の実施形態で、ニコチン粉末吸入物品はそれ自体で、すなわち、特にユーザーがカプセルを圧迫することによりニコチン粉末容器が破壊されるようデザインされた壊れやすいカプセルを含む実施形態で、スタンドアロンの物品として使用されうる。ところが、一貫しかつ信頼できる使用およびニコチン送達を促進するには、本発明のエアロゾル発生物品は、ニコチン粉末送達システムを形成する装置と組み合わせることが好ましい。
【００５７】
したがって、本発明はまた、本明細書で説明した実施形態のいずれかによるエアロゾル発生物品およびこうした物品を受けるように構成されたニコチン粉末送達装置を含む、ニコチン粉末送達システムも提供する。こうした装置は、本発明による物品と効果的に協働して、ニコチンをユーザーに送達するように設計されている。装置は、エアロゾル発生物品を受けるように適合される外側ハウジングと、ニコチン粉末容器を貫通するための少なくとも一つの貫通部材とを含む。こうした装置は再使用可能であることが好ましい。装置はさらにマウスピースも含むことが好ましい。マウスピースは、装置と一体型かまたは取り外し可能としうる。
【００５８】
本明細書で使用される時、「エアロゾル発生装置」という用語は、エアロゾル発生物品と相互作用して、ユーザーの肺にユーザーの口を通して直接吸入可能なエアロゾルを発生する装置を指す。
【００５９】
少なくとも一つの貫通部材を利用してニコチン粉末容器を貫通することにより、本発明によるニコチン粉末送達システムは、容器からのニコチン粉末の一貫性があり信頼できる放出を提供する。ニコチン粉末容器からユーザーへのニコチン粉末の有効な送達を促進するために、少なくとも一つの貫通部材は、中空の軸部分および中空の軸部分内の少なくとも一つの開口部を含むことが好ましい。物品がニコチン粉末送達装置によって受けられる時、少なくとも一つの開口部は、ニコチン粉末容器の内部と流体連通する。こうした実施形態では、物品を通過する気流は、中空の軸部分に、そしてユーザーの口へと配向される。
【００６０】
装置は、少なくとも一つの気流入口および少なくとも一つの気流出口を含みうる。装置がマウスピースを備える実施形態では、少なくとも一つの気流出口がマウスピース内に提供される。
【００６１】
本発明による装置は、適切な任意の材料、例えば、プラスチックなどから形成されうる。
【００６２】
少なくとも一つの貫通部材は、複数の貫通要素を備えうる。例えば、少なくとも一つの貫通部材は、１〜４個の貫通部材を備えうる。
【００６３】
外側ハウジングは円筒型の形状でもよい。こうした実施形態では、外側ハウジングは、約９〜約１２ミリメートルの外径を持ちうる。特に好ましい実施形態では、外側ハウジングは約１０ミリメートルの外径を持つ。
【００６４】
追加的に、または別の方法として、外側ハウジングは、約７〜約１０ミリメートルの内径を持つことが好ましい。特に好ましい実施形態では、外側ハウジングは約８ミリメートルの内径を持つ。外側ハウジングの内径は、エアロゾル発生物品が装置に挿入された時に締りばめを提供するように、エアロゾル発生物品の外径と実質的に同じであることが好ましい。
【００６５】
ニコチン粉末送達システムは、約２５ｍｍＷＧ〜約１００ｍｍＷＧの引き出し抵抗を持つことが好ましい。特に好ましい実施形態では、ニコチン粉末送達システムは、約５０ｍｍＷＧの引き出し抵抗を持つ。引き出し抵抗は、ＩＳＯ  ６５６５−２００２に従い測定される。
【００６６】
ここで、以下の添付図面を参照しながら本発明をさらに説明するが、これは例証としてのみである。
【図面の簡単な説明】
【００６７】
【図１】図１は、本発明の一実施形態によるニコチン粉末カプセルを備えたエアロゾル発生物品を示す。
【図２】図２は、平面１−１での図１の物品の断面図を示す。
【図３】図３は、本発明によるニコチン粉末送達システムを示し、ニコチン粉末送達装置内に受けられる図１の物品を含む。
【発明を実施するための形態】
【００６８】
図１は、下流セグメント１４および上流セグメント１６の間に位置するニコチン粉末カプセル１２を含むエアロゾル発生物品１０を示す。下流セグメント１４は、下記で図３に関連して説明する貫通部材を受けるための中空部分１８を含む環状セグメントである。
【００６９】
液体風味カプセル２０は上流セグメント１６内に提供され、物品１０を使用する前にユーザーが粉砕して風味剤を上流セグメント１６に放出させうる。
【００７０】
外側ラッパー２２は、下流セグメント１４、ニコチン粉末カプセル１２および上流セグメント１６の周りに包まれる。上流セグメント１６の上流端は、物品１０の気流入口２４を形成する。
【００７１】
図２にさらに詳細に示す通り、波型の内側ラッパー２６はニコチン粉末カプセル１２と外側ラッパー２２の間に提供される。波型のラッパー２６にある波型形状は、上流セグメント１６を経由して気流入口２４と流体連通する複数の気流チャネル２８を画定する。複数の気流チャネル２８は、ユーザーへの送達のために、物品１０の上流端から下流端への風味剤の送達を許容する。
【００７２】
使用時、図３に示す通り、物品１０はニコチン粉末吸入装置３０に挿入されて、ニコチン粉末送達システム１００を形成する。
【００７３】
吸入装置３０は、物品１０が受けられる外側ハウジング３２を含む。貫通部材３４および気流入口チャネル３６は、ニコチン粉末カプセル１２を貫通し、外側ハウジング３２の側壁に提供された入口開口部３８と装置３０の下流端にある気流出口４２との流体連通を提供する。図３に矢印で図示した通り、ユーザーが装置３０の下流端を吸い込んだ時、空気は、入口開口部３８および気流入口チャネル３６を経由してニコチン粉末カプセル１２に引き込まれる。ニコチン粒子は、入ってくる空気中に分散され、貫通部材３４にある開口部４４を経由してニコチン含有カプセル１２を出てから、貫通部材３４の中空軸部分４６を経由して気流出口４２を通過する。
【００７４】
また、図３には、エアロゾル発生物品１０の上流端にある気流入口２４からの気流も図示されている。特に、ユーザーが装置３０の下流端を吸い込んだ時、液体風味カプセル２０からの風味剤は、気流中に混入されて気流入口２４に入る。風味剤を含む気流は次に、波型の内側ラッパー２６によって画定される気流チャネル２８を通って上流セグメント１６を通過してから、下流セグメント１４を通過し、気流出口４２に流れる。
【図１】
0006718383.tif 000002
【図２】
0006718383.tif 000003
【図３】
0006718383.tif 000004